(57)【要約】【課題】空気を混入することなくジェット噴流を発生させることが可能なジェット噴射装置およびこれに用いる噴射ノズル装置並びに噴射ノズル装置ユニットの提供。【解決手段】内筒１３の孔内に螺旋状の仕切板１４を備えた噴射ノズル装置１２と、この噴射ノズル装置１２の内筒１３の孔内に加圧水を送り込むポンプ装置とを備える。噴射ノズル装置１２の内筒１３の孔内に送り込まれた加圧水は、螺旋状の仕切板１４によってねじられるとともに、周期的な螺旋状の仕切板１４に衝突することによって振動するようになるため、噴出口１５から旋回および振動するジェット噴流を発生させることができる。【選択図】  図１
2005204746.tif 000002
【特許請求の範囲】
【請求項１】
筒状の孔内に螺旋状の仕切板を備えた噴射ノズル装置と、
同噴射ノズル装置の筒状の孔内に加圧水を送り込むポンプ装置と
を備えたジェット噴射装置。
【請求項２】
前記加圧水は、空気を混入することなく加圧のみ行った水である請求項１記載のジェット噴射装置。
【請求項３】
前記水は、循環式の浴槽水である請求項１または２に記載のジェット噴射装置。
【請求項４】
前記噴射ノズル装置を複数連装した請求項１から３のいずれかに記載のジェット噴射装置。
【請求項５】
加圧水が送り込まれる筒状の孔内に螺旋状の仕切板を備えた噴射ノズル装置。
【請求項６】
請求項５記載の噴射ノズル装置を複数連装した噴射ノズル装置ユニット。
【発明の詳細な説明】
【技術分野】
【０００１】
本発明は、ジェット噴流を吐出するジェット噴射装置およびこれに用いる噴射ノズル装置並びに噴射ノズル装置ユニットに関する。
【背景技術】
【０００２】
浴槽内に空気を混入させた水を噴射させるジェット噴射装置が知られている。この種のジェット噴射装置は、例えば、特許文献１，２に記載のように、ポンプにより圧送された浴槽水に空気を混入させ、気泡混じりのジェット噴流を吐出させるものである。このようなジェット噴流は痩身美容や健康増進等に効果的であるとされ、温泉施設、フィットネスクラブやいわゆるスーパー銭湯等の公衆浴場にも多く設置されている。
【０００３】
これらの公衆浴場において、循環濾過装置を用いて連日使用型とした循環浴槽が多く見られるが、このような循環浴槽では上記のようなジェット噴射装置に浴槽水を使用しないように厚生労働省や保健所からの指導がある。これは、万が一浴槽水にレジオネラ属菌が繁殖した際、浴槽内に吐出された空気によるエアロゾルが原因となり、レジオネラ症が発生する可能性があるためである。
【０００４】
【特許文献１】特開２００２−３３６３２３号公報
【特許文献２】特開２００１−１４５６７６号公報
【発明の開示】
【発明が解決しようとする課題】
【０００５】
そのため、既存の連日使用型の循環浴槽を採用している施設では、ジェット噴射装置設備の運転を中止せざるを得なくなっている。また、新たに計画される施設ではジェット噴射装置を採用することができなくなっている。
【０００６】
そこで、本発明においては、空気を混入することなくジェット噴流を発生させることが可能なジェット噴射装置およびこれに用いる噴射ノズル装置並びに噴射ノズル装置ユニットを提供することを目的とする。
【課題を解決するための手段】
【０００７】
本発明のジェット噴射装置は、筒状の孔内に螺旋状の仕切板を備えた噴射ノズル装置と、噴射ノズル装置の筒状の孔内に加圧水を送り込むポンプ装置とを備えたものである。本発明によれば、噴射ノズル装置の筒状の孔内に送り込まれた加圧水が、螺旋状の仕切板によってねじられるとともに、周期的な螺旋状の仕切板に衝突することによって振動するようになるため、旋回および振動するジェット噴流を発生させることができる。
【０００８】
この発生したジェット噴流は、旋回する水流であるため、遠くまで到達するとともに、噴射ノズル装置からの吐出後、円錐状に拡がっていく。また、噴射ノズル装置を複数連装したものとすれば、互いの噴射ノズル装置から吐出された旋回および振動するジェット噴流が絡み合って流れていくようになるため、さらに遠くまで到達させることができる。
【発明の効果】
【０００９】
（１）加圧水が送り込まれる筒状の孔内に螺旋状の仕切板を備えた噴射ノズル装置によって旋回および振動するジェット噴流を発生させることができる。この発生したジェット噴流は、旋回する水流であるため、遠くまで到達するとともに、噴射ノズル装置からの吐出後、円錐状に拡がっていく。また、この発生したジェット噴流は、旋回および振動しているため、従来の空気を混入したジェット噴流と比較して同等以上の効果および体感を得ることができる。
【００１０】
（２）空気を混入することなく加圧のみ行った加圧水によってジェット噴流を発生させることができるため、従来の空気を混入したジェット噴流のようにエアロゾルを発生させることもない。そのため、循環式の浴槽水を加圧のみ行うことにより、循環浴槽においても使用することが可能である。
【００１１】
（３）噴射ノズル装置を複数連装したものとすることにより、互いの噴射ノズル装置から吐出された旋回および振動するジェット噴流が絡み合って流れていくようになるため、ジェット噴流をさらに遠くまで到達させることができるとともに、プロペラで発生した水流に似た感触と流量感を得ることができる。
【発明を実施するための最良の形態】
【００１２】
図１は本発明の実施の形態におけるジェット噴射装置の噴射ノズル装置ユニットを示す図であって、（ａ）は縦断面図、（ｂ）は左側面図である。
【００１３】
本発明の実施の形態におけるジェット噴射装置は、図１に示す噴射ノズル装置ユニット１と、この噴射ノズル装置ユニット１に加圧水を送り込むポンプ装置（図示せず。）とからなる。なお、噴射ノズル装置ユニット１とポンプ装置とは、図１の２点破線で示すように、適宜エルボ管２やストレート管３等を用いて接続される。
【００１４】
噴射ノズル装置ユニット１は、その外筒１１内に１個の噴射ノズル装置１２を備える。噴射ノズル装置１２は、外筒１１内に収容される内筒１３と、内筒１３の孔内に備える螺旋状の仕切板１４と、内筒１３の孔内に送り込まれた水を噴出させる噴出口１５とを有する。
【００１５】
螺旋状の仕切板１４は、帯状の薄板を螺旋状にねじったものである。仕切板１４は、内筒１３の孔内の空間を２つの空間に分割しており、それぞれの空間は螺旋形の流路を形成している。ポンプ装置によって送り込まれた加圧水は、仕切板１４によって分割された内筒１３の孔内のそれぞれの流路を通じて、噴出口１５から噴出される。
【００１６】
上記構成のジェット噴射装置によれば、噴射ノズル装置１２の内筒１３の孔内に送り込まれた加圧水が、螺旋状の仕切板１４によってねじられるとともに、周期的な螺旋状の仕切板１４に衝突することによって振動するようになる。このため、噴出口１５から旋回および振動するジェット噴流を発生させることができる。
【００１７】
この発生したジェット噴流は、旋回する水流であるため、遠くまで到達するとともに、噴射ノズル装置１２からの吐出後、円錐状に拡がっていく。また、この発生したジェット噴流は、旋回および振動しているため、従来の空気を混入したジェット噴流と比較して同等以上の効果および体感を得ることができる。
【００１８】
また、本実施形態におけるジェット噴射装置では、空気を混入することなく加圧のみ行った加圧水によってジェット噴流を発生させることができるため、従来の空気を混入したジェット噴流のようにエアロゾルを発生させることもない。そのため、循環式の浴槽水を加圧のみ行うことにより、循環浴槽においても使用することが可能である。
【００１９】
図２は本発明の別の実施形態を示すジェット噴射装置の噴射ノズル装置ユニットを示す図であって、（ａ）は縦断面図、（ｂ）は左側面図である。
【００２０】
図２に示す噴射ノズル装置ユニット１０は、その外筒１６内に７個の噴射ノズル装置１７を備える。各噴射ノズル装置１７は、それぞれの筒状の孔１８内に前述の仕切板１４と同様の螺旋状の仕切板１９を備えたものである。また、各噴射ノズル装置１７は、筒状の孔１８内に送り込まれた水を噴出させる噴出口２０を備える。
【００２１】
図２に示す噴射ノズル装置ユニット１０によれば、互いの噴射ノズル装置１７から吐出された旋回および振動するジェット噴流が絡み合って流れていくようになるため、このジェット噴流を図１に示す噴射ノズル装置ユニット１よりもさらに遠くまで到達させることができる。
【実施例】
【００２２】
図１および図２に示す噴射ノズル装置ユニットと従来の噴射ノズル装置との比較試験を行った。従来の噴射ノズル装置は、特許文献１，２に示すような気泡混じりのジェット噴流を噴出させるためのものを用い、空気を混入させないで使用した。
【００２３】
図１の噴射ノズル装置ユニット１の内筒１３の孔内径は約３４ｍｍ、孔長は約１００ｍｍ、噴出口１５の口径は約８ｍｍ、仕切板１４の螺旋のピッチは約８０ｍｍとした。また、図２の噴射ノズル装置ユニット１０の外筒１６の内径は約６６ｍｍ、各噴射ノズル装置１７の孔１８の内径は約１０ｍｍ、孔長は約５０ｍｍ、噴出口２０の口径は約６ｍｍ、仕切板１８の螺旋のピッチは約４０ｍｍとした。
【００２４】
表１に比較試験結果を示す。
【００２５】
【表１】
2005204746.tif 000003
【産業上の利用可能性】
【００２６】
本発明は、温泉施設、フィットネスクラブやいわゆるスーパー銭湯等の公衆浴場にも多く設置されている既存の循環浴槽内にジェット噴流を吐出するジェット噴射装置およびこれに用いる噴射ノズル装置並びに噴射ノズル装置ユニットとして有用である。
【図面の簡単な説明】
【００２７】
【図１】本発明の実施の形態におけるジェット噴射装置の噴射ノズル装置ユニットを示す図であって、（ａ）は縦断面図、（ｂ）は左側面図である。
【図２】本発明の別の実施形態を示すジェット噴射装置の噴射ノズル装置ユニットを示す図であって、（ａ）は縦断面図、（ｂ）は左側面図である。
【符号の説明】
【００２８】
１，１０  噴射ノズル装置ユニット
２  エルボ管
３  ストレート管
１１，１６  外筒
１２，１７  噴射ノズル装置
１３  内筒
１４，１９  仕切板
１５，２０  噴出口
１８  孔
【図１】
2005204746.tif 000004
【図２】
2005204746.tif 000005